(57)【要約】      （修正有）【課題】本発明は、薄い畳、軽い畳をしっかりと床に固定できると共に、複数の色柄やデザインの複数の畳を容易に併設でき、特に介護施設に適用することができる畳を床に敷設固定できる方法を提供する。【解決手段】畳底面に固定するＴ字型金具を床に固定する手段と、固定された畳に他の畳底面に固定するＴ字型金具を前記畳底部に挿入に固定する手段とからなる。【選択図】図１
2018025080.tif 000002
【特許請求の範囲】
【請求項１】
畳を床に固定する手段と、該固定された畳に他の畳を併設固定する手段とからなる畳を床に敷設固定方法。
【請求項２】
畳底面に固定するＴ字型金具を床に固定する手段と、該固定された畳に他の畳底面に固定するＴ字型金具を前記畳底部に挿入に固定する手段とからなる前記請求項１記載の畳を床に敷設固定方法。
【請求項３】
畳底面に固定するＴ字型金具を床に固定する手段と、該固定された畳に他の畳底面に固定するＴ字型金具を前記畳底部に挿入に固定する手段と、最後の畳底部に設けたスクリューネジを介して床に固定する手段とからなる前記請求項１及び２記載畳を床に敷設固定方法。
【請求項４】
複数の畳底面に固定する固定金具を床に一定幅と一定間隔を有する複数の固定孔に固定して複数の畳を併設固定する手段を有する請求項１記載の畳を床に敷設固定方法。
【請求項５】
複数の畳底面に設けた固定孔に金具を介して床に固定する手段と、前記複数の固定孔に係合する固定シートを介して他の複数の畳を連結する手段とを有する請求項１記載の畳を床に敷設固定方法。
【発明の詳細な説明】
【発明の詳細な説明】
【技術分野】
【０００１】  本発明は、薄い畳、軽い畳をしっかりと床に固定できると共に、複数の色柄やデザインの複数の畳を容易に併設でき、特に介護施設に適用できる畳を床に敷設固定方法に関するものである。
【従来技術】
【０００２】  例えば、特許文献１（特開２０１５−１９７０２３号公報）には、「底部材と上面部材とを備え、底部材が底板とこの底板に立設され複数の第１凹凸条が形成された雌型起立板を有し、上面部材が表面板とこの表面板から垂下し雌型起立板の複数の第１凹凸条に係止可能な複数の第２凹凸条が形成された雄型垂下板を有する。雌型起立板が相対向する２つの起立板からなり、第１凹凸条が２つの起立板の相対向面にそれぞれ形成され、第２凹凸条が雄型垂下板の両側にそれぞれ形成される。雌型起立板の一方の起立板に形成された複数の第１凹凸条が他方の起立板の複数の第１凹凸条よりその凹凸度を小さくして形成され、雄型垂下板の両側に形成された複数の第２凹凸条が雌型起立板の第１凹凸条の凹凸度に相応する凹凸度を有する畳敷込み用部材」旨が記載され、「配置後の取外しが容易であって、畳表により密着して畳端部を確実に固定する」旨説明されている。
【０００３】  しかしながら、特許文献１は壁面に当節する畳敷設用部材がなければならず畳を床へ直接固定するものでなく、併設するそれぞれの畳が薄畳や畳の縁に丸みがある場合等に確実に両者を連結して浮き上がり防止することができない。
【０００４】また、特許文献２（特開２０１４−２０６０３９号公報）には、「本畳敷設方法は、第１ないし第４の周囲部材１ａ〜１ｄで周囲が囲まれる畳敷設領域に、複数の縁無薄畳からなる畳群２Ａを敷設する畳敷設方法であって、第１の周囲部材１ａの直線状の一辺を基準辺１ａ１となし、該基準辺１ａ１に養生シートｓ付きの畳群２Ａの一辺２Ａ１を沿わせて畳群２Ａを配置する第１の工程と、第１の周囲部材１ａと対向する第２の周囲部材１ｂを、畳群２Ａを間にして第１の床材１ａ方向に押し込む第２の工程と、第３、第４の床材１ｃ，１ｄを畳群２Ａを間にして相手側に押し込む第３の工程と、畳群２Ａから養生シートｓを剥離する第４の工程とを有する畳敷設方法」が記載されており、「床材の施工に施工業者が畳群の汚れ等に気遣いする必要がなく、また、床材等の周囲部材の施工誤差があっても、畳群の再作成の必要がなく、畳群を畳敷設領域に敷設することができる畳敷設方法を提供する」旨説明されている。
【０００５】しかしながら、特許文献２も壁面に当節する畳敷設用部材がなければならず畳を床へ直接固定するものでなく、併設するそれぞれの畳が薄畳や畳の縁に丸みがある場合等に確実に両者を連結して浮き上がり防止することができない。
【０００６】また、特許文献３（特開２００７−３１４９６その７号公報）には、「浴室の洗い場２の敷設面に複数の畳芯材１１を敷き詰め、周囲にベース部材１３を配置する。ベース部材１３の中央部には全長にわたって壁部が立設されており、畳芯材１１の側面に壁部が密着している。各畳芯材１１の表面をそれぞれ畳表１２で被覆してその両端部をベース部材１３に形成された係合溝に挿し込み、さらにカバー部材１６の係合部を挿し込んで固定する。カバー部材１６の畳縁部が畳芯材１１の境目を覆い隠し、全体として従来の畳敷床構造と同様の外観を呈する畳敷床構造」が記載され、「浴室等の床面全体に容易に畳を敷設することができるとともに傷んだ畳表を取り替えるといったメンテナンスを簡単に行うことが可能な畳敷床構造を提供することを目的とするものである」旨説明されている。
【０００７】しかしながら、特許文献３は、畳を構成する畳芯材１１や畳表１２をカバー部材１６やベース部材１３に重ねてそれぞれ固定するものであって、本発明の如く複数の畳を夫々別途床へ併設固定するもではない。また、ベース部材１３は壁部に当節するののであり複数の畳を床へそれぞれ直接それぞれ固定するものでない。
【０００８】  また、特許文献４（特開２００７−２１７８６８号公報）には、「再生プラスチックまたは金属材を使用して成るフレーム材２ａを矩形状に枠組みしたフレーム枠体２と、該フレーム枠体２の少なくとも上下いずれか一方に配した複数の透孔３ａを有するパンチングメタル３と、該パンチングメタル３の上面に敷設したポリプロピレン不織布による防黴・抗菌シートを使用したバイオシート４と、該バイオシート４上面を覆い、周縁部をフレーム材２ａの外周から下面側に巻き込み固定した合成繊維ラッシュによる透水性畳表５とを備える。透水性畳表５は、ポリプロピレン繊維のマルチフィラメントを緯に配して成る人工ラッシュにナイロンの撚糸を経に配して畳糸として引目状もしくは目積状の畳目に織成し、さらに光触媒加工を施すようにした透水性畳敷構造」が記載され、「高度な耐水性と透水性とに加えて座り心地の良いクッション性・滑り防止性能・断熱性能を備え、しかも使用後の清掃作業も容易に行える」旨説明されている。
【０００９】しかしながら、特許文献４は組み立てた畳を風呂場の床に単に載置するものであって、床に直接複数の畳を併設固定するものではない。
【００１０】また、特許文献５（特開２００３−３１４０４０号公報）には、「畳の部屋の畳１１の側面と間接的又は直接的に接する部分に敷設するものであって、底部材と上面部材とからなり、該底部材と該上面部材とは上下方向に係合可能であり、該底部材は底部４と起立部を有し、該上面部材は表面部６と垂下部を有するもので、該底部材の底部と該上面部材の表面部との間に、畳１１又は板材の一部が挿入されるようにした畳敷き込み用部材」旨記載され、「規格品で完成した畳をきっちりと敷き込むための畳敷き込み用部材を提供する」旨説明されている。
【００１１】しかしながら、特許文献５も壁面に当節する畳敷設用部材がなければならず畳を床へ直接固定するものでなく、併設するそれぞれの畳が薄畳や畳の縁に丸みがある場合等に確実に両者を連結して浮き上がり防止することができない。
【００１２】また、特許文献６（特開平１０−３３１４０２号公報）には、「床本体５上面に同じ方向に敷き詰められる矩形状の下地板３と、該下地板３上面に貼設される可撓性を有する長尺なシート状の畳表１と、該畳表１の幅方向の端部を押さえる畳縁２とを備え、畳表１は、その幅が前記下地板３の短辺の幅とほぼ等しく、その長さは下地板３の端部を覆うことができるように、下地板３の長辺方向の長さよりも長く形成されているので、現場に下地板３と畳表１と畳縁２をそれぞれ搬送し、下地板３、畳表１及び畳縁２の順に現場で施工すればよいことから、畳拵えの工程を省くことができる。また、下地板３の大きさ等を変えることで、多様なサイズ、形の畳敷を得ることができる。さらに、外観上、畳表１と畳縁２が表れていて、従来の畳が敷設される畳敷と同様に見えるようにした畳敷構造」が記載され、「施工工程全体の作業効率の軽減を図ることができ、所望のサイズや形で、従来の畳と同様な和室の雰囲気を醸し出すことができる畳敷構造と、そのような構造を有する畳敷の施工方法を提供する」旨説明されている。
【００１３】しかしながら、特許文献６は、下地板３、畳表１及び畳縁２の順に畳を現場で施工するものであて、本発明の如く、畳を床へ直接固定するものでなく、併設するそれぞれの畳が薄畳や畳の縁に丸みがある場合等に確実に両者を連結して浮き上がり防止することを目的としていない。
ができない。
【先行技術文献】
【００１４】
【特許文献１】  特開２０１５−１９７０２３号公報
【特許文献２】  特開２０１４−２０６０３９号公報
【特許文献３】  特開２００７−３１４９６７号公報
【特許文献４】  特開２００７−２１７８６８号公報
【特許文献５】  特開２００３−３１４０４０号公報
【特許文献６】  特開平１０−３３１４０２号公報
【発明が解決しようとする課題】
【００１５】  本発明においては、薄い畳、軽い畳をしっかりと床に固定できると共に、複数の色柄やデザインの複数の畳を容易に併設でき、特に介護施設に適用できることを課題とする。
【課題を解決する手段】
【００１６】  請求項１の発明は、畳を床に固定する手段と、該固定された畳に他の畳を併設固定する手段とからなる畳を床に敷設固定方法を提供するものである。
【００１７】  この発明においては、薄い畳、軽い畳をしっかりと床に固定できると共に、複数の色柄やデザインの複数の畳を容易に併設でき、特に介護施設に適用できる。
【００１８】  請求項２の発明は、畳底面に固定するＴ字型金具を床に固定する手段と、該固定された畳に他の畳底面に固定するＴ字型金具を前記畳底部に挿入に固定する手段とからなる前記請求項１記載の畳を床に敷設固定方法を提供するものである。
【００１９】  この発明においては、畳底部に固定するＴ字型金具の一辺を併設する畳の底部に挿入するだけで複数の畳を容易に併設することができる。
【００２０】  請求項３の発明は、畳底面に固定するＴ字型金具を床に固定する手段と、該固定された畳に他の畳底面に固定するＴ字型金具を前記畳底部に挿入に固定する手段と、最後の畳底部に設けたスクリューネジを介して床に固定する手段とからなる前記請求項１及び２記載畳を床に敷設固定方法を提供するものである。
【００２１】  この発明においては、畳底部に固定するＴ字型金具の一辺を併設する畳の底部に挿入して複数の畳を連接して、最後の畳を畳底部に設けたスクリューネジを介して床に固定する簡便な方法により複数の畳を一体的に敷設固定することができる。
【００２２】  請求項４の発明は、複数の畳底面に固定する固定金具を床に一定幅と一定間隔を有する複数の固定孔に固定して複数の畳を併設固定する手段を有する請求項１記載の畳を床に敷設固定方法を提供するものである。
【００２３】  この発明においては、床に一定幅と一定間隔を有する複数の固定孔に、複数の畳をその畳底面に固定する固定金具を介して床に併設できるので、別途取り付け金具等を必要とせず簡単に複数の畳を併設固定できる。
【００２４】  請求項５の発明は、複数の畳底面に設けた固定孔に金具を介して床に固定する手段と、前記複数の固定孔に係合する固定シートを介して他の複数の畳を連結する手段とを有する請求項１記載の畳を床に敷設固定方法を提供するものである。
【００２５】  この発明においては、複数の固定孔に係合する固定シートを介して畳を連結するので、連接金具をネジ止めするものと異なり、複数の畳を固定シートにより容易で連設することができる。
【発明を実施するための形態】
【００２６】  以下に本発明の一実施形態を図面に基づき説明する。図１は畳の床への敷設固定し一部表面図、図２はその側面図、図３は底面にＴ字型金具を設けた畳の底面写真、図４図は図３の畳の底面にＴ字型金具を取り付けた側面断面図、５図は一つの畳に他の畳をＴ字型金具を介して連接する様子を示す写真、６図は一つの畳に他の畳をＴ字型金具を介して連接する他の例を示す写真、図７は最後の畳を床へ固定する様子を示す写真、図８は図７の側面断面写真、図９は床に予め挿入穴を配列させた例を示す写真、図１０は前記Ｔ字型金具に代わる他の実施例を示す写真である。
【００２７】  図１、図２に示す如く、本発明は畳１ａを床２に固定する手段と、該固定された畳に複数の他の畳１ｂ・・・を併設固定する手段とからなる。
【００２８】  図３は底面にＴ字型金具を設けた畳の底面写真、図４は図３の畳の底面にＴ字型金具を取り付けた部分拡大側面断面図であり、これら畳１ａ、１ｂ・・・を床２へ固定する一実施例を示すものであり、畳１ａ、１ｂ・・・底面に固定するＴ字型金具３を夫々設けている。このＴ字型金具３はＴ字の上部３ａを畳１ａ、１ｂ・・・の底部の滑り止めシート４にホットボンド５で固定している。Ｔ字の底部３ｂは畳１ａ、１ｂ・・・側方へ突出させており、床２へ固定するネジ孔６、６を設けている。このように、畳１ａに床２へＴ字型金具３を介して固定する手段と、該固定された畳１ａに他の畳１ｂ・・・畳底部へＴ字型金具３を介して挿入固定する手段とからなる。
【００２９】  図５は一つの畳に他の畳をＴ字型金具を介して連接する様子を示す写真であり、畳１ｂを畳１ａの底面にＴ字型金具３のＴ字底部３ｂを挿入して取り付けたものであり、この場合畳１ｂは床２へ固定することなく、畳１ｂの側部に床２に固定するさらに別の畳（図示せず）を面接触させることにより固定維持される。
【００３０】  図６は一つの畳に他の畳をＴ字型金具を介して連接する他の例を示す写真であり、畳１ｂにおけるＴ字型金具３のＴ字底部３ｂは床２の固定された他の畳（図示せず）の底面に挿入され固定維持されることもできる。
【００３１】  図７は最後の畳１ｅｎｄを床２へ固定する様子を示す写真であり、畳１ｅｎｄ底面形成するエビプラグ７を床２の孔８へ挿入固定する。これにより、前記畳１ａ，１ｂ・・・全体を固定保持することができる。エビプラグ７の頭７ａは畳１の芯材９とプラスティックプレート１０との間に挟み込んで固定している。これにより、畳１ａ、１ｂ・・・に固定するＴ字型金具３を床２に固定する手段と、該固定された畳１ａに他の畳１ｂ・・・底面に固定するＴ字型金具を前記畳底部に挿入に固定する手段と、最後の畳底部に設けたスクリューネジ７を介して床２に固定する手段とからなる。尚、図３、図５乃至図７の畳１、１ａ、１ｂ・・・、１ｅｎｄはサンプル的写真であり、実際は畳サイズで最大１８００ｍｍ×９００ｍｍサイズと、半畳サイズで９００ｍｍ×９００ｍｍサイズとなるが限定はされない。
【００３２】    図９は床１２に予め挿入孔１８・・・を配列させた例を示す写真であり、複数の畳１ａ，１ｂ・・・１ｅｎｄ底面に固定するエビプラグ７・・・を床１２に一定幅と一定間隔を有する複数の挿入孔１８・・・に固定して複数の畳を連接固定することもできる。
【００３３】  図１０は前記Ｔ字型金具に代わる他の実施例を示す写真であり、複数の畳２１底面に設けた挿入孔２８に金具（図示せず）を介して床（図示せず）に固定する手段と、前記複数の挿入孔２８に係合する固定シート２３を介して他の複数の畳を連結する手段とを有する．
【発明の効果】
【００３４】    この発明においては、薄い畳、軽い畳をしっかりと床に固定できると共に、複数の色柄やデザインの複数の畳を容易に併設でき、特に介護施設に適用できる。
【００３５】  また、この発明においては、畳底部に固定するＴ字型金具の一辺を併設する畳の底部に挿入するだけで複数の畳を容易に併設することができる。
【００３６】  また、この発明においては、畳底部に固定するＴ字型金具の一辺を併設する畳の底部に挿入して複数の畳を連接して、最後の畳を畳底部に設けたスクリューネジを介して床に固定する簡便な方法により複数の畳を一体的に敷設固定することができる。
【００３７】  また、この発明においては、床に一定幅と一定間隔を有する複数の固定孔に、複数の畳をその畳底面に固定する固定金具を介して床に併設できるので、別途取り付け金具等を必要とせず簡単に複数の畳を併設固定できる。
【００３８】  さらに、この発明においては、複数の固定孔に係合するポリプロピレンシートを介して畳を連結するので、連接金具をネジ止めするものと異なり、複数の畳を固定シートにより容易で連設することができる。
【図面の簡単な説明】
【００３９】
【図１】  畳の床への敷設固定し一部表面図、
【図２】  図１の側面図、
【図３】  底面にＴ字型金具を設けた畳の底面写真、
【図４】  図３の畳の底面にＴ字型金具を取り付けた部分拡大側面断面図、
【図５】  一つの畳に他の畳をＴ字型金具を介して連接する様子を示す写真、
【図６】  一つの畳に他の畳をＴ字型金具を介して連接する他の例を示す写真、
【図７】  最後の畳を床へ固定する様子を示す写真、
【図８】  図７の側面断面写真、
【図９】  床に予め挿入穴を配列させた例を示す写真、
【図１０】  前記Ｔ字型金具に代わる他の実施例を示す写真
【符号の説明】
【図１】
2018025080.tif 000003
【図２】
2018025080.tif 000004
【図３】
2018025080.tif 000005
【図４】
2018025080.tif 000006
【図５】
2018025080.tif 000007
【図６】
2018025080.tif 000008
【図７】
2018025080.tif 000009
【図８】
2018025080.tif 000010
【図９】
2018025080.tif 000011
【図１０】
2018025080.tif 000012